(57)【要約】【課題】  記録媒体を挿入してから該記録媒体の情報を取り出すまでにかかる時間を短縮できかつ小型化を図れる記録媒体再生装置を提供する。【解決手段】  記録媒体再生装置１は記録媒体としてのＣＤの情報を取り出す装置であって機器本体とローラアーム３７とディスクガイド３８とクランプ再生ユニット５とロック部材４４とスライド部材７を備えている。ロック部材４４はロックピン５２に係止してクランプ再生ユニット５を固定する。ロック部材４４はロックピン５２への係止を解除して機器本体に対しクランプ再生ユニット５を移動自在とする。スライド部材７がＣＤの搬送方向と略同じ方向に移動することで、ローラアーム３７とディスクガイド３８とがＣＤから離れ、かつそれに応じてロック部材４４の係止が解除される。【選択図】      図６
2004206871.tif 000002
【特許請求の範囲】
【請求項１】
記録媒体を機器本体内外に搬送する搬送ローラと、
搬送される記録媒体を前記搬送ローラと共に狭持して前記機器本体内外に案内するガイド部材と、
前記機器本体内の所定位置に搬送された記録媒体を再生する再生手段と、
前記再生手段を前記機器本体に対し固定するロック手段と、を備え、
前記ロック手段により前記再生手段を固定した状態で前記記録媒体の搬送を行う記録媒体再生装置において、
前記狭持状態にある前記搬送ローラと前記ガイド部材とを互いに離れる方向に移動させるとともに、前記固定状態の解除を行うためのスライド部材を有し、
前記スライド部材は、前記記録媒体の搬送方向と略同方向に移動することにより、前記搬送ローラと前記ガイド部材の移動に連動して前記固定状態の解除を行うように構成されていることを特徴とする記録媒体再生装置。
【請求項２】
前記スライド部材は、前記記録媒体が前記所定位置に達した後に移動を開始するとともに、前記搬送ローラと前記ガイド部材との間隔が広くなるに応じて前記固定状態を変化させるように構成されていることを特徴とする請求項１に記載の記録媒体再生装置。
【発明の詳細な説明】
【技術分野】
【０００１】
本発明は、例えば、Compact Discなどの記録媒体から情報を読み出す記録媒体再生装置に関する。
【背景技術】
【０００２】
例えば、移動体としての自動車のインストルメントパネル（以下インパネと呼ぶ）には、記録媒体再生装置としてのＣＤプレーヤが取り付けられる。ＣＤプレーヤは、Compact Disc（以下ＣＤと呼ぶ）などの記録媒体が記録した情報を読み出す。
【０００３】
前記ＣＤプレーヤは、前記インパネに取り付けられる機器本体と、前記機器本体に開口した記録媒体挿入口と、搬送ユニットと、クランプ再生機構と、ロック部材などを備えている。機器本体は、複数の板金などが互いに組み付けられて箱状に形成されている。記録媒体挿入口は、内側に前記ＣＤが通される。
【０００４】
搬送ユニットは、記録媒体挿入口内を通されたＣＤをクランプ再生機構まで搬送したり、前記クランプ再生機構からＣＤを記録媒体挿入口まで搬送して該ＣＤを機器本体内から排出する。搬送ユニットは、互いに接離自在に設けられた一対の挟持部材を備えている。
【０００５】
これら一対の挟持部材のうち一方は、モータなどの駆動源によって回転駆動される搬送ローラを備えている。搬送ローラは、前記モータなどの駆動源によって回転駆動されることによって、ＣＤを搬送する。他方の挟持部材は、摩擦係数の小さい滑り部材を備えている。滑り部材は、前記搬送ローラとの間に前記ＣＤを挟んで、該ＣＤの搬送方向を案内する。搬送ユニットは、一対の挟持部材間にＣＤを挟んで、前記ＣＤを搬送する。
【０００６】
クランプ再生機構は、互いに接離自在に設けられた一対の第２挟持部材を備えている。これら一対の第２挟持部材のうち一方は、モータなどの駆動源によって回転駆動される回転テーブルと、前記ＣＤに記録された情報を読み出すための光ピックアップと、を備えている。回転テーブルは、前記ＣＤを中央孔内に侵入して回転することで、前記ＣＤを回転する。
【０００７】
他方の第２挟持部材は、前記回転テーブルに合致する位置に円板状のクランパを設けている。クランパは、前記他方の第２挟持部材に対し回転自在に設けられている。一対の第２挟持部材は、互いに近づくと、前記回転テーブルとクランパとの間に前記ＣＤを挟む。一対の第２挟持部材間にＣＤを挟んで、クランプ再生機構は、ＣＤをクランプする。そして、前記クランプ再生機構の光ピックアップが前記ＣＤの情報を読み出す。（特許文献１参照）
前記クランプ再生機構は、ゴムなどやコイルばねなどによって、前記機器本体に対し移動自在に支持されている。前記記録媒体再生装置が前記自動車などに取り付けられるため、該自動車の走行中の振動などによって、機器本体が振動する。そして、クランプ再生機構は、ゴムやコイルばねなどによって、機器本体に対し移動する。こうして、クランプ再生機構が前記ＣＤの情報を読み出す際の前記振動による影響を抑制している。
【０００８】
前記ロック部材は、前記機器本体などに回転自在に設けられている。ロック部材は、前記クランプ再生機構の一部などに係止するロック位置と、前記係止を解除するロック解除位置とに亘って、変位する。ロック部材がクランプ再生機構の一部に係止するロック位置では、前記クランプ再生機構は、前記機器本体に対し固定される。前記ロック部材のクランプ再生機構の一部への係止が解除されるロック解除位置では、前記クランプ再生機構は、前記機器本体に対し移動自在になる。
【０００９】
前述した構成の記録媒体再生装置は、記録媒体挿入口からＣＤが挿入されると、前記一対の挟持部材間にＣＤを挟んで、該ＣＤをクランプ再生機構の一対の第２挟持部材間に向かって搬送する。このとき、一対の第２挟持部材は、互いに離れている。前記ＣＤが一対の第２挟持部材間に位置すると、前記一対の第２挟持部材が互いに近づくとともに、挟持部材が互いに離れる。そして、ＣＤが、クランプ再生機構にクランプされる。なお、このとき、前記ロック部材が前記ロック位置に位置して、前記ロック再生機構は、前記機器本体に対し固定されている。
【００１０】
そして、前記一対の挟持部材が互いに離れる。前記クランプ再生機構が前記機器本体に対し移動する際に、前記クランプ再生機構にクランプされたＣＤが前記一対の挟持部材に接触することを防止する。このように、一対の挟持部材が互いに離れて、クランプ再生機構が機器本体に対し移動する際にＣＤが移動できる範囲を確保する。
【００１１】
一対の挟持部材が十分に互いに離れた後に、前記ロック部材が前記ロック位置からロック解除位置に向かって移動する。ロック部材がロック解除位置に位置すると、前記回転テーブルが回転されるとともに、前記光ピックアップを介して、前記ＣＤの情報を読み出すことが可能となる。光ピックアップを介して取り出した情報は、前記自動車などに装備されるスピーカなどを通して音声として出力される。
【００１２】
また、前述した記録媒体再生装置は、前記ＣＤを機器本体内から排出する際には、まず、前記回転テーブルの回転を停止する。そして、前記ロック部材をロック解除位置からロック位置に変位させて、クランプ再生機構を機器本体に対し固定する。その後、一対の第２挟持部材が互いに離れるとともに、一対の挟持部材が互いに近づく。一対の挟持部材間にＣＤを挟んで、搬送ユニットは、前記ＣＤを記録媒体挿入口に向かって搬送する。前記ＣＤが、記録媒体挿入口を通って、機器本体外に排出される。
【００１３】
【特許文献１】特開２０００−２０７８０２
【発明の開示】
【発明が解決しようとする課題】
【００１４】
前述したように従来の記録媒体再生装置では、自動車の走行中などの振動によって、前記クランプ再生機構及びＣＤが、搬送ユニットの一対の挟持部材に接触するという弊害を防止するために、前記一対の挟持部材と前記クランプ再生機構とのクリアランスを十分に確保した後、前記ロック部材のロックを解除してきた。
【００１５】
このため、前記搬送ユニットの一対の挟持部材が十分に離れた後に、ロック部材のロックを解除するため、前記ＣＤなどの記録媒体を機器本体内に挿入してから該記録媒体の再生に移るまでの時間が長くなる傾向であった。前記記録媒体を機器本体に挿入してから前記記録媒体の情報を音声として出力するまでの時間は、当然長くなる。このため、前記自動車の乗員に不快感を与える傾向にあった。さらに、前記一対の挟持部材と前記クランプ再生機構とのクリアランスを十分に確保した後、ロック部材のロックを解除するためには、クリアランスを確保するための機構とロックを解除するための機構を別々に設ける必要があり、部品点数が多くなるとともに装置自体が大型になってしまうという問題があった。
【００１６】
したがって、本発明は、例えば、記録媒体を挿入してから該記録媒体の情報を読み出すまでの時間を短縮できるとともに、装置自体の小型化に適した構成にすることができる記録媒体再生装置を提供することにある。
【課題を解決するための手段】
【００１７】
本発明の請求項１に記載の記録媒体再生装置は、記録媒体を機器本体内に搬送する搬送ローラと、搬送される記録媒体を前記搬送ローラと共に狭持して前記機器本体内に案内するガイド部材と、前記機器本体内の所定位置に搬送された記録媒体を再生する再生手段と、前記再生手段を前記機器本体に対し固定するロック手段と、を備え、前記ロック手段により前記再生手段を固定した状態で前記記録媒体の搬送を行う記録媒体再生装置において、前記狭持状態にある前記搬送ローラと前記ガイド部材とを互いに離れる方向に移動させるとともに、前記固定状態の解除を行うためのスライド部材を有し、前記スライド部材は、前記記録媒体の搬送方向と略同方向に移動することにより、前記搬送ローラと前記ガイド部材の移動に連動して前記固定状態の解除を行うように構成されていることを特徴としている。
【発明を実施するための最良の形態】
【００１８】
本発明の一実施形態にかかる記録媒体再生装置１を図１ないし図１７を参照して説明する。図１などに示す記録媒体再生装置１は、例えば、移動体としての自動車のインストルメントパネル（以下インパネと呼ぶ）に装着される。記録媒体再生装置１は、記録媒体としてのＣＤ２（図９ないし図１７に示す）を収容して、該ＣＤ２に記録された情報を取り出して（再生して）音声として出力する。
【００１９】
記録媒体再生装置１は、図１などに示すように、機器本体３と、搬送ユニット４（図６ないし図１７に示す）と、再生手段としてのクランプ再生ユニット５と、一対のロック部材４４（図６ないし図１２に示す）と、を備えている。
【００２０】
機器本体３は、シャーシ８（図２及び図３などに示す）と、駆動源部６（図３に示す）と、一対のスライド部材７（図４に一つ示す）と、を備えている。シャーシ８は、図２及び図３に示すように、複数の板金などが互いに取り付けられて構成されている。前記板金などが折り曲げられて、シャーシ８は、扁平な箱状に形成されている。
【００２１】
シャーシ８は、図２及び図３に示すように、略平坦な底壁９と、該底壁９に間隔をおいて相対する略平坦な天井壁１０と、これらの底壁９と天井壁１０とに連なる複数の周壁１１と、を備えている。これらの壁９，１０，１１には、それぞれ、前記シャーシ８の軽量化と剛性の確保とのために、複数の開口部が設けられている。
【００２２】
複数の周壁１１のうち図１中の手前側に位置する一つの周壁１１には、記録媒体挿入口１２が形成されている。記録媒体挿入口１２は、前記一つの周壁１１を貫通している。記録媒体挿入口１２は、図１中の矢印Ｋに沿って、内側に前記ＣＤ２を通すことができる。前記記録媒体挿入口１２を通して、前記ＣＤ２は、機器本体３内に収容されたり、該機器本体３内から排出される。
【００２３】
駆動源部６は、前記記録媒体挿入口１２を形成した前記一つの周壁１１に連なる他の周壁１１（図３中奥側に位置する周壁１１）の近傍に取り付けられている。駆動源部６は、図３に示すように、駆動源としてのモータ１３と、複数の歯車１４と、を備えている。モータ１３は、シャーシ８に取り付けられている。モータ１３は、搬送ユニット４の駆動源をなしている。
【００２４】
モータ１３の出力軸には、図示しないピニオンが取り付けられている。複数の歯車１４は、それぞれ、前記周壁１１などに回転自在に支持されている。これらの歯車１４は互いに噛み合っているとともに、これらの歯車１４のうち一つの歯車１４は、前記ピニオンと噛み合っている。
【００２５】
一対のスライド部材７は、記録媒体挿入口１２を形成した一つの周壁１１に連なる一対の周壁１１それぞれに取り付けられている。スライド部材７は、周壁１１に、前記矢印Ｋに沿ってスライド自在に取り付けられている。即ち、スライド部材７は、ＣＤ２の挿入及び排出方向（以下併せて搬送方向と呼ぶ）に沿って、スライド自在となっている。
【００２６】
一対のスライド部材７のうち図３中奥側に位置するスライド部材７には、ラック１５が取り付けられている。ラック１５は、記録媒体挿入口１２を通して機器本体３内にＣＤ２が挿入されると、図示しないシーソ部材によって、前記記録媒体挿入口１２が形成された一つの周壁１１に向かって押される。
【００２７】
ラック１５は、前記シーソ部材によって前記一つの周壁１１に向かって押されると、一つの歯車１４と噛み合う。また、一対のスライド部材７は、リンク１００（図１などに示す）によって、同期して周壁１１に対しスライド移動する。すなわち、一対のスライド部材７は、同時に記録媒体挿入口１２に近づいたり離れたりする。
【００２８】
図２中に奥側の周壁１１に取り付けられたスライド部材７は、図４に示すように、板金部１６と、合成樹脂部１７と、を備えている。板金部１６は、帯板状に形成されかつ前記周壁１１に、図４中の矢印Ｋに沿って、スライド自在に支持されている。板金部１６の長手方向は、前記周壁１１の長手方向に沿っている。
【００２９】
合成樹脂部１７は、摩擦係数の小さな合成樹脂からなり略方体状に形成されている。合成樹脂部１７は、板金部１６に三つ取り付けられている。合成樹脂部１７は、板金部１６の長手方向の中央部と、板金部１６の記録媒体挿入口１２から離れた端部と、板金部１６の前記中央部と前記端部との間に設けられている。
【００３０】
板金部１６には、一対のガイド孔１８と、一対の孔１９とが設けられている。これらの孔１８，１９は、板金部１６を貫通している。前記一対のガイド孔１８は、板金部１６の記録媒体挿入口１２寄りの端部に設けられている。これら一対のガイド孔１８は、板金部１６の長手方向に沿って互いに間隔をあけて配されている。
【００３１】
ガイド孔１８は、それぞれ、一対の水平延在部２０ａ，２０ｂと、一対の傾斜延在部２１ａ，２１ｂと、を備えている。ガイド孔１８は、記録媒体挿入口１２に近い側から順に、一方の水平延在部２０ａと一方の傾斜延在部２１ａと他方の傾斜延在部２１ｂと他方の水平延在部２０ｂとを配している。これらの一方の水平延在部２０ａと一方の傾斜延在部２１ａと他方の傾斜延在部２１ｂと他方の水平延在部２０ｂは、互いに直列に連なっている。
【００３２】
両水平延在部２０ａ，２０ｂは、板金部１６即ちスライド部材７のスライド方向（矢印Ｋ）に沿って延びている。一方の水平延在部２０ａが他方の水平延在部２０ｂより図４中の下方に配されている。両傾斜延在部２１ａ，２１ｂは、板金部１６即ちスライド部材７のスライド方向（矢印Ｋ）に対し交差する方向に沿って延びている。
【００３３】
一方の傾斜延在部２１ａは、一方の水平延在部２０ａから離れるのにしたがって徐々に下方に向かうように延びている。他方の傾斜延在部２１ｂは、前記一方の傾斜延在部２１ａから離れて他方の水平延在部２０ｂに近づくのにしたがって徐々に上方に向かうように延びている。
【００３４】
一方の孔１９は、板金部１６の長手方向に沿って、前記板金部１６の中央部に設けられた合成樹脂部１７と、前記中央部と前記端部との間に設けられた合成樹脂部１７と、の間に設けられている。他方の孔１９は、板金部１６の長手方向に沿って、前記中央部と前記端部との間に設けられた合成樹脂部１７と、前記板金部１６の端部に設けられた合成樹脂部１７と、の間に設けられている。
【００３５】
また、板金部１６の記録媒体挿入口１２寄りの端部には、ガイド斜面２２が設けられている。ガイド斜面２２は、記録媒体挿入口１２に向かうにしたがって徐々に上方に向かうように、スライド部材７のスライド方向に対し傾斜している。
【００３６】
前記板金部１６の中央部に設けられた合成樹脂部１７には、第１ガイド溝２３が設けられている。第１ガイド溝２３は、合成樹脂部１７の機器本体３の内側に位置する表面から凹に形成されている。第１ガイド溝２３は、水平部２４と上方傾斜部２５と拡大部２６と、を備えている。これらの水平部２４と上方傾斜部２５と拡大部２６とは、スライド部材７のスライド方向に沿って、記録媒体挿入口１２から離れるのにしたがって順に配されている。水平部２４と上方傾斜部２５と拡大部２６とは、互いに連なっている。
【００３７】
水平部２４は、スライド部材７のスライド方向に沿って延びている。上方傾斜部２５は、水平部２４即ち記録媒体挿入口１２から離れるのにしたがって徐々に上方に向かうように、スライド部材７のスライド方向に対し傾斜している。拡大部２６は、上方傾斜部２５即ち記録媒体挿入口１２から離れるのにしたがって、スライド部材７のスライド方向に対し交差する方向の幅が徐々に大きくなるように形成されている。拡大部２６の記録媒体挿入口１２から離れた端部の幅は、前記孔１９の幅と略等しい。
【００３８】
板金部１６の中央部と前記端部との間に設けられた合成樹脂部１７には、第２ガイド溝２７が設けられている。第２ガイド溝２７は、合成樹脂部１７の機器本体３の内側に位置する表面から凹に形成されている。第２ガイド溝２７は、水平部２７ａと、下方傾斜部２８と、拡大部２９と、を備えている。水平部２７ａと下方傾斜部２８と拡大部２９とは、スライド部材７のスライド方向に沿って、記録媒体挿入口１２から離れるのにしたがって順に配されている。水平部２７ａと下方傾斜部２８と拡大部２９とは、互いに連なっている。
【００３９】
水平部２７ａは、スライド部材７のスライド方向に沿って延びている。下方傾斜部２８は、記録媒体挿入口１２から離れるのにしたがって徐々に下方に向かうように、スライド部材７のスライド方向に対し傾斜している。拡大部２９は、下方傾斜部２８即ち記録媒体挿入口１２から離れるのにしたがって、スライド部材７のスライド方向に対し交差する方向の幅が徐々に大きくなるように形成されている。拡大部２９の記録媒体挿入口１２から離れた端部の幅は、前記孔１９の幅と略等しい。
【００４０】
板金部１６の前記端部に設けられた合成樹脂部１７には、ロックガイド溝３０とロック凹溝３１とが設けられている。ロックガイド溝３０とロック凹溝３１とは、合成樹脂部１７の機器本体３の内側に位置する表面から凹に形成されている。ロックガイド溝３０は、ロック凹溝３１の上方に設けられている。ロックガイド溝３０は、スライド延在部３２と交差延在部３３とを備えている。
【００４１】
スライド延在部３２と交差延在部３３とは、スライド部材７のスライド方向に沿って、記録媒体挿入口１２から離れるのにしたがって順に配されている。スライド延在部３２と交差延在部３３とは、互いに連なっている。
【００４２】
スライド延在部３２は、スライド部材７のスライド方向に沿って延びている。交差延在部３３は、スライド延在部３２から上方に向かって延びている。こうして、交差延在部３３は、スライド延在部３２から前記スライド方向に対し交差する方向に沿って延びている。なお、スライド延在部３２と交差延在部３３とが交わる箇所は、交差点３４をなしている。
【００４３】
ロック凹溝３１は、水平延在部３５と、第２拡大部３６と、を備えている。水平延在部３５と第２拡大部３６とは、スライド部材７のスライド方向に沿って、記録媒体挿入口１２から離れるのにしたがって順に配されている。水平延在部３５と第２拡大部３６とは、互いに連なっている。
【００４４】
水平延在部３５は、スライド部材７のスライド方向に沿って、延びている。第２拡大部３６は、水平延在部３５即ち記録媒体挿入口１２から離れるのにしたがって、スライド部材７のスライド方向に対し交差する方向の幅が徐々に大きくなるように形成されている。
【００４５】
板金部１６に一対のガイド孔１８と一対の孔１９とガイド斜面２２が設けられ、かつ合成樹脂部１７に第１ガイド溝２３と第２ガイド溝２７とロックガイド溝３０とロック凹溝３１とが設けられている。このため、スライド部材７は、一対のガイド孔１８と一対の孔１９とガイド斜面２２と第１ガイド溝２３と第２ガイド溝２７とロックガイド溝３０とロック凹溝３１とを備えている。
【００４６】
搬送ユニット４は、図６ないし図１２などに示すように、ローラアーム３７と、ディスクガイド３８と、を備えている。ローラアーム３７は、前記記録媒体挿入口１２の近傍に配されている。ローラアーム３７は、板金などからなるアーム本体３９と、ローラ４０と、を備えている。
【００４７】
アーム本体３９は、長手方向がシャーシ８の幅方向に沿った帯状に形成されている。アーム本体３９は、幅方向の一方の縁部を中心として底壁９に回転自在に支持されている。アーム本体３９の回転中心は、シャーシ８の幅方向に沿っている。アーム本体３９は、幅方向の他方の縁部が底壁９から離れる方向に、図示しないコイルばねによって付勢されている。
【００４８】
ローラ４０は、アーム本体３９の前記他方の縁部に回転自在に支持されている。ローラ４０の回転中心は、シャーシ８の幅方向に沿っている。ローラ４０の一端部には、図示しない歯車が取り付けられている。アーム本体３９の前記他方の縁部が底壁９から離れた状態において、ローラ４０の歯車は、駆動源部６の歯車１４の一つに噛み合う。ローラ４０は、前記歯車１４などを介して、モータ１３の回転駆動力によって回転される。
【００４９】
ディスクガイド３８は、板金などからなるガイド本体４１と、該ガイド本体に取り付けられた滑り部材４２と、を備えている。ガイド本体４１は、長手方向がシャーシ８の幅方向に沿った帯状に形成されている。ガイド本体４１は、後述する突出ピン４３と、該突出ピン４３が侵入するガイド孔１８と、によって、鉛直方向に沿ってスライド自在にシャーシ８に支持されている。滑り部材４２は、摩擦係数の小さい合成樹脂からなる。滑り部材４２は、薄い板状に形成されている。滑り部材４２は、ガイド本体４１のシャーシ８の内側に位置する表面に取り付けられている。
【００５０】
前記ローラアーム３７とディスクガイド３８は、それぞれ、突出ピン４３を備えている。ローラアーム３７の突出ピン４３は、アーム本体３９の図１及び図２中の奥側に位置する幅方向の端部から前記スライド部材７を取り付けた周壁１１に向かって突出している。ローラアーム３７の突出ピン４３は、アーム本体３９が図示しないコイルばねに付勢されることによって、スライド部材７のガイド斜面２２に接触する。
【００５１】
ディスクガイド３８の突出ピン４３は、ガイド本体４１の図１及び図２中の奥側に位置する幅方向の端部に一対設けられ、ガイド本体４１の図１及び図２中の手前側に位置する幅方向の端部に一つ設けられている。これらの突出ピン４３は、ガイド本体４１から周壁１１に向かって突出している。ガイド本体４１の図１及び図２中の奥側に位置する幅方向の端部に一対設けられたディスクガイド３８の突出ピン４３は、それぞれ、前記ガイド孔１８内を通る。
【００５２】
クランプ再生ユニット５は、キャリッジシャーシ４５と、クランプアーム４６と、を備えている。キャリッジシャーシ４５は、板金などからなるシャーシ本体４７と、該シャーシ本体４７に取付られた回転テーブル４８と、前記シャーシ本体４７に取り付けられた図示しない光ピックアップ部と、を備えている。シャーシ本体４７は、略平板状に形成されている。
【００５３】
回転テーブル４８は、シャーシ本体４７に回転自在に支持されている。回転テーブル４８は、ＣＤ２の中央孔内に侵入する。回転テーブル４８は、モータなどの駆動力によって、ＣＤ２を回転させる。光ピックアップ部は、前記ＣＤ２に記録された情報を読みとるための光ピックアップと、該光ピックアップを回転テーブル４８に対し接離させる駆動機構などを備えている。クランプアーム４６は、板金などからなるアーム本体４９と、クランパ５０と、を備えている。アーム本体４９は、略平板状に形成されている。キャリッジシャーシ４５のシャーシ本体４７に、記録媒体挿入口１２から離れた端部を中心として回転自在に支持されている。アーム本体４９の回転中心は、シャーシ８の幅方向に沿っている。アーム本体４９がシャーシ本体４７に近づいた状態では、シャーシ本体４７とアーム本体４９とが略平行になる。
【００５４】
クランパ５０は、回転テーブル４８に相対する位置に配されている。クランパ５０は、円板状に形成されているとともに、アーム本体４９に回転自在に支持されている。クランパ５０は、アーム本体４９がシャーシ本体４７と略平行な状態となると、回転テーブル４８との間にＣＤ２を挟むことができる。
【００５５】
また、前述した構成のクランプ再生ユニット５は、図示しないゴムなどの弾性体からなるダンパと、コイルばねなどによって、前記機器本体３に対し移動自在にシャーシ８内に支持される。クランプ再生ユニット５は、回転テーブル４８とクランパ５０との間にＣＤ２を挟んで、回転テーブル４８でＣＤ２を回転させ光ピックアップ部で該ＣＤ２内の情報を読み出す。
【００５６】
そして、クランプ再生ユニット５は、前記自動車の走行中の振動によって機器本体３が振動しても、前記ダンパとコイルばねとによってシャーシ８に対し移動する。このように、前記ダンパとコイルばねなどは、前記自動車の走行中の振動などが前記ＣＤ２の情報を読み出す作業に悪影響を与えることを防止する。また、クランプ再生ユニット５は、後述する鉤部５４のロックピン５２に対する係止が徐々に解除されるのにしたがって、前記機器本体３に対し移動自在となる範囲が徐々に拡大する。
【００５７】
また、前記キャリッジシャーシ４５とクランプアーム４６は、それぞれ、第３突出ピン５１を備えている。キャリッジシャーシ４５の第３突出ピン５１は、シャーシ本体４７の図１及び図２中の奥側及び手前側に位置する幅方向の両端部から周壁１１に向かって突出している。キャリッジシャーシ４５の第３突出ピン５１は、ロック部材４４が後述するロック位置に位置すると、前記第１ガイド溝２３内に侵入する。キャリッジシャーシ４５の第３突出ピン５１は、ロック部材４４が後述するロック解除位置に位置すると、前記第１ガイド溝２３から抜け出る。
【００５８】
クランプアーム４６の第３突出ピン５１は、アーム本体４９の図１及び図２中の奥側に位置する幅方向の端部から前述したスライド部材７を取り付けた周壁１１に向かって突出している。クランプアーム４６の第３突出ピン５１は、ロック部材４４がロック位置に位置すると、前記第２ガイド溝２７内に侵入する。クランプアーム４６の第３突出ピン５１は、ロック部材４４がロック解除位置に位置すると、前記第２ガイド溝２７から抜け出る。
【００５９】
前記キャリッジシャーシ４５は、さらに、ロックピン５２を備えている。ロックピン５２は、キャリッジシャーシ４５のシャーシ本体４７の両端部からスライド部材７を取り付けた周壁１１に向かって突出している。ロックピン５２は、アーム本体４９とシャーシ本体４７との相対的な回転運動の回転中心に設けられている。ロックピン５２は、ロック部材４４がロック位置に位置すると、前記ロック凹溝３１内に侵入する。キャリッジシャーシ４５のロックピン５２は、ロック部材４４がロック解除位置に位置すると、前記ロック凹溝３１から抜け出る。
【００６０】
ロック部材４４は、前記スライド部材７を取りつけた周壁１１それぞれの近傍に配されている。これらのロック部材４４は、記録媒体挿入口１２を形成した周壁１１と相対する周壁１１の近傍に配されている。
【００６１】
ロック部材４４は、それぞれ、薄い板金などからなり、かつ平面形状が略矩形状のロック本体５３と鉤部５４と第２突出ピン５９とを一体に備えている。鉤部５４は、ロック本体５３の一つの外縁部から離れる方向に延びた離間部５５と、該離間部５５から該外縁部に沿って延びた並行部５６と、を備えている。このため、ロック部材４４は、前記並行部５６とロック本体５３との間にスリット５７が形成される。また、前記並行部５６の延在方向を本明細書に記した鉤部５４の延びた方向とする。なお、並行部５６の延在方向は、後述するロック位置では、スライド部材７のスライド方向に対し交差している。
【００６２】
ロック部材４４は、前記ロック本体５３の鉤部５４から離れた端部５８を中心として、底壁９に回転自在に支持されている。ロック部材４４は、前記端部５８を中心として回転することで、図６に示すスリット５７内にロックピン５２を侵入させて鉤部５４でロックピン５２を係止するロック位置と、図８に示すスリット５７内からロックピン５２が抜け出て鉤部５４でのロックピン５２の係止を解除するロック解除位置と、に亘って変位する。
【００６３】
第２突出ピン５９は、ロック本体５３からスライド部材７に向かって突出している。第２突出ピン５９は、前記ロック位置とロック解除位置とに亘って、ロックガイド溝３０内に侵入する。
【００６４】
なお、前述したスライド部材７と、突出ピン４３と、第３突出ピン５１と、第２突出ピン５９とは、本明細書に記した連動手段を構成している。後述するように搬送ユニット４のローラアーム３７とディスクガイド３８が搬送してきたＣＤ２を、クランプ再生ユニット５のキャリッジシャーシ４５とクランプアーム４６とで挟む。
【００６５】
すると、これらで構成される連動手段は、前記ＣＤ２がローラアーム３７とディスクガイド３８などに接触できないように、ローラアーム３７とディスクガイド３８をＣＤ２から徐々に離させるとともに、ロック部材４４をロック位置からロック解除位置に向かって徐々に移動させる。すなわち、前記連動手段は、ローラアーム３７とディスクガイド３８の各々が離れることにより形成されるＣＤ２の移動可能な範囲に応じて、ロック部材４４などからなるロック手段をロック位置からロック解除位置に向かって徐々に移動させる。また、スライド部材７が前記機器本体３に対しスライド移動され、ロック部材４４とロックピン５２との係止が徐々に解除されていくに伴い、ロックピン５２の第２拡大部３６とロック部材４４とで形成される領域内での移動範囲が徐々に拡大されるとともに、第３突出ピン５１の拡大部２６，２９の領域内での移動範囲が徐々に拡大されることにより、前記クランプ再生ユニット５が機器本体３に対し移動自在となる範囲が徐々に拡大されていく。
【００６６】
また、前記ロックピン５２と、ロック部材４４と、ロック凹溝３１とは、本明細書に記したロック手段をなしている。これらで構成されるロック手段は、前記クランプ再生ユニット５を機器本体３に対し固定するロック位置と、クランプ再生ユニット５を機器本体３に対し移動自在とするロック解除位置と、に亘って変位自在である。
【００６７】
前述した構成の記録媒体再生装置１は、前記モータ１３の駆動力によって、ＣＤ２を以下のようにクランプ再生ユニット５にクランプする。ＣＤ２をクランプしていない状態では、クランプ再生ユニット５のキャリッジシャーシ４５とクランプアーム４６とは互いに離れている。また、搬送ユニット４のローラアーム３７とディスクガイド３８とは互いに近づいている。
【００６８】
まず、記録媒体再生装置１の使用者が記録媒体媒体挿入口１２内にＣＤ２を挿入する。モータ１３の駆動力によってローラ４０が、図１３中の矢印Ｓに沿って回転されており、該ローラ４０とディスクガイド３８の滑り部材４２との間にＣＤ２を挟む。ローラ４０が矢印Ｓに沿って回転しているため、ＣＤ２は、図１３に示すように、キャリッジシャーシ４５とクランプアーム４６との間に向かって搬送される。
【００６９】
すると、図１４に示すように、ＣＤ２がローラ４０とディスクガイド３８の滑り部材４２との間に挟まれた状態で、キャリッジシャーシ４５とクランプアーム４６との間に位置する。その後、キャリッジシャーシ４５とクランプアーム４６とがロックピン５２を中心として回転して互いに近づく。図１５に示すように、キャリッジシャーシ４５とクランプアーム４６とがＣＤ２を挟むと同時に、ローラアーム３７とディスクガイド３８とがＣＤ２から離れる。
【００７０】
その後、鉤部５４のロックピン５２に対する係止が解除される方向にロック部材４４が徐々に変位されるとともに、ローラ４０がＣＤ２から離れる方向にローラアーム３７が変位しかつディスクガイド３８が上昇してＣＤ２から離れる。クランプ再生ユニット５が機器本体３に対し移動しても、クランプされたＣＤ２がローラアーム３７とディスクガイド３８との双方に接触しないように、ロック部材４４が回転する。例えば、図１６に示すように、ロック部材４４の回転によって、クランプ再生ユニット５などが移動できる範囲（図１６中に二点鎖線で囲んだ領域）内に、ローラアーム３７とディスクガイド３８とが入っていない。
【００７１】
その後、前記ロック部材４４が前述したロック解除位置に変位する。さらに、図１７に示すように、ローラアーム３７が底壁９と平行になるとともに該底壁９の近傍に位置し、ディスクガイド３８が天井壁１０と平行になるとともに該天井壁１０の近傍に位置する。このように、ローラアーム３７とディスクガイド３８とがＣＤ２から完全に離れる。
【００７２】
この状態でも、ＣＤ２をクランプしたクランプ再生ユニット５が機器本体３に対し移動しても、前記ＣＤ２がローラアーム３７とディスクガイド３８との双方に接触しない。例えば、図１７に示すように、クランプ再生ユニット５などが移動できる範囲（図１７中に二点鎖線で囲んだ領域）内に、ローラアーム３７とディスクガイド３８とが入っていない。
【００７３】
このように、ＣＤ２の搬送中には、前記ローラアーム３７とディスクガイド３８とはＣＤ２を挟み、かつキャリッジシャーシ４５とクランプアーム４６とはＣＤ２から離れている。キャリッジシャーシ４５とクランプアーム４６とがＣＤ２を挟んでクランプ再生ユニット５がＣＤ２をクランプすると、ローラアーム３７とディスクガイド３８はＣＤ２から徐々に離れる。ローラアーム３７とディスクガイド３８がＣＤ２から徐々に離れる間に、ロック部材４４などは前記ロック位置から前記ロック解除位置に向かって徐々に移動する。
【００７４】
また、スライド部材７などは、クランプ再生ユニット５がクランプしたＣＤ２がローラアーム３７とディスクガイド３８に接触できないように、これらのローラアーム３７とディスクガイド３８をＣＤ２から徐々に離す。スライド部材７などは、前記ロック部材４４などを前記ロック位置から前記ロック解除位置に向かって徐々に移動させる。
【００７５】
次に、前述した構成の記録媒体再生装置１の作用（動作）について説明する。まず、ＣＤ２が機器本体３内に挿入されていない状態では、図６に示すように、スライド部材７は、前記記録媒体挿入口１２から最も離れている。ローラアーム３７の突出ピン４３は、ガイド斜面２２の記録媒体挿入口１２寄りの端部に接触している。ディスクガイド３８の突出ピン４３は、水平延在部２０ａ内に位置している。こうして、ローラアーム３７とディスクガイド３８とは互いに近づいている。ローラアーム３７のローラ４０の端部に取りつけられた歯車は、駆動源部６の歯車１４と噛み合っている。
【００７６】
また、ＣＤ２が機器本体３内に挿入されていない状態では、図６に示すように、キャリッジシャーシ４５の第３突出ピン５１は、第１ガイド溝２３の水平部２４の記録媒体挿入口１２寄りの端部に位置している。クランプアーム４６の第３突出ピン５１は、第２ガイド溝２７の水平部２７ａの記録媒体挿入口１２寄りの端部に位置している。こうして、キャリッジシャーシ４５とクランプアーム４６とは互いに離れた状態となっている。
【００７７】
さらに、ＣＤ２が機器本体３内に挿入されていない状態では、図６に示すように、ロックピン５２は、ロック凹溝３１の水平延在部３５の記録媒体挿入口１２寄りの端部に位置している。ロック部材４４の鉤部５４は、ロックピン５２に係止しているとともに、ロック部材４４の第２突出ピン５９は、ロックガイド溝３０のスライド延在部３２の記録媒体挿入口１２寄りに端部に位置している。こうして、鉤部５４がロックピン５２に係止して、ロック部材４４は、クランプ再生ユニット５を機器本体３に対し固定している。
【００７８】
図６に示す状態で、ＣＤ２を記録媒体挿入口１２内に使用者が挿入する。すると、モータ１３が例えば正転方向に回転するとともに、ローラ４０が回転する。記録媒体挿入口１２に挿入されたＣＤ２は、ディスクガイド３８とローラアーム３７のローラ４０との間に挟まれる。ローラ４０が回転しているので、ＣＤ２は機器本体３内に向かって搬送される。
【００７９】
ＣＤ２がシーソ部材に接触し、該シーソ部材がラック１５を記録媒体挿入口１２に向かって押す。ラック１５が一つの歯車１４と噛み合って、スライド部材７が徐々に記録媒体挿入口１２に向かってスライドし始める。
【００８０】
ローラアーム３７の突出ピン４３はガイド斜面２２に沿って移動して徐々に底壁９に近づく。ディスクガイド３８の突出ピン４３は、水平延在部２０ａから傾斜延在部２１ａ内に侵入する。ディスクガイド３８の突出ピン４３は、傾斜延在部２１ａに沿って移動して徐々に底壁９に近づく。こうして、ディスクガイド３８とローラアーム３７とは、まず、底壁９に徐々に近づく。
【００８１】
また、キャリッジシャーシ４５の第３突出ピン５１は、水平部２４を経て上方傾斜部２５内に侵入する。そして、キャリッジシャーシ４５の第３突出ピン５１は、上方傾斜部２５に沿って徐々に天井壁１０に近づく。クランプアーム４６の第３突出ピン５１は、水平部２７ａを経て下方傾斜部２８に沿って徐々に底壁９に近づく。こうして、キャリッジシャーシ４５とクランプアーム４６とは、徐々に近づく。
【００８２】
さらに、ロックピン５２は水平延在部３５に沿って、スライド部材７に対し相対的に移動する。ロック部材４４の第２突出ピン５９は、ロックガイド溝３０のスライド延在部３２に沿って、スライド部材７に対し相対的に移動する。ロック部材４４は、ロックピン５２に係止した状態を維持する。
【００８３】
ＣＤ２が、機器本体３内に搬送されていき、該ＣＤ２の中央孔が回転テーブル４８とクランパ５０との間に位置する。すると、ローラアーム３７の突出ピン４３はガイド斜面２２に沿って移動して徐々に底壁９に近づく。ディスクガイド３８の突出ピン４３は、傾斜延在部２１ａから傾斜延在部２１ｂ内に侵入する。ディスクガイド３８の突出ピン４３は、傾斜延在部２１ｂに沿って移動して徐々に天井壁１０に近づく。こうして、ディスクガイド３８とローラアーム３７とは、互いに離れる。
【００８４】
また、キャリッジシャーシ４５の第３突出ピン５１は、上方傾斜部２５に沿って徐々に天井壁１０に近づく。クランプアーム４６の第３突出ピン５１は、下方傾斜部２８に沿って徐々に底壁９に近づく。こうして、キャリッジシャーシ４５とクランプアーム４６とは、さらに徐々に近づく。
【００８５】
すると、前記キャリッジシャーシ４５とクランプアーム４６とが互いに近づいて、回転テーブル４８とクランパ５０との間にＣＤ２を挟むと同時に、該ＣＤ２からローラアーム３７のローラ４０とディスクガイド３８とが離れる。こうして、搬送ユニット４がＣＤ２を離すと同時に、クランプ再生ユニット５がＣＤ２を挟持（クランプ）する。
【００８６】
クランプ再生ユニット５がＣＤ２を挟持（クランプ）した状態では、図７及び図９に示すように、ローラアーム３７の突出ピン４３は、ガイド斜面２２の中央部に接触している。ディスクガイド３８の突出ピン４３は、傾斜延在部２１ｂの上端部に位置している。こうして、ローラアーム３７とディスクガイド３８とは徐々に離れている。
【００８７】
また、クランプ再生ユニット５がＣＤ２を挟持（クランプ）した状態では、図７及び図９に示すように、キャリッジシャーシ４５の第３突出ピン５１は、第１ガイド溝２３の上方傾斜部２５の記録媒体挿入口１２から離れた端部に位置している。クランプアーム４６の第３突出ピン５１は、第２ガイド溝２７の拡大部２９内に位置している。こうして、キャリッジシャーシ４５とクランプアーム４６とは互いに近づいた状態となっている。
【００８８】
さらに、クランプ再生ユニット５がＣＤ２を挟持（クランプ）した状態では、図７及び図９に示すように、ロックピン５２は、ロック凹溝３１の第２拡大部３６内に位置している。ロック部材４４の第２突出ピン５９は、ロックガイド溝３０のスライド延在部３２と交差延在部３３とが互いに交わる交差点３４に位置している。このため、鉤部５４のロックピン５２への係止が若干解除される方向に、ロック部材４４が前記ロック位置から若干回転されている。こうして、ロック部材４４は、前記ロック位置からロック解除位置に向かって若干変位されている。
【００８９】
さらに、前記モータ１３が正転駆動して、スライド部材７が記録媒体挿入口１２に向かって移動されると、ローラアーム３７の突出ピン４３はガイド斜面２２に沿って移動して徐々に底壁９に近づく。ディスクガイド３８の突出ピン４３は、傾斜延在部２１ｂに沿って移動して徐々に天井壁１０に近づいた後、水平延在部２０ａ内に侵入する。こうして、ディスクガイド３８とローラアーム３７とは、さらに互いに離れる。
【００９０】
また、キャリッジシャーシ４５の第３突出ピン５１は、上方傾斜部２５から拡大部２６に侵入した後、第１ガイド溝２３内から抜け出る。クランプアーム４６の第３突出ピン５１は、第２ガイド溝２７内から抜け出る。こうして、キャリッジシャーシ４５とクランプアーム４６とは、互いに近づいた状態を維持される。
【００９１】
さらに、ロックピン５２はロック凹溝３１から抜け出る。ロック部材４４の第２突出ピン５９は、ロックガイド溝３０の交差延在部３３に侵入しているため、スライド部材７の記録媒体挿入口１２に向かう移動によって、前記端部５８を中心として回転される。そして、スリット５７内からロックピン５２が完全に抜け出て、鉤部５４のロックピン５２に対する係止が解除される。こうして、ロック部材４４によるロックピン５２の係止が解除されて、前記ロック部材４４が図８および図１２に示すロック解除位置に変位する。
【００９２】
ロック解除位置では、図８及び図１２に示すように、ローラアーム３７の突出ピン４３は、ガイド斜面２２の記録媒体挿入口１２から離れた端部に接触している。ディスクガイド３８の突出ピン４３は、水平延在部２０ｂの記録媒体挿入口１２から離れた端部に位置している。こうして、ローラアーム３７とディスクガイド３８とは互いに離れる。アーム本体３９が底壁９に平行となるとともに、ローラアーム３７は底壁９の近傍に位置する。ガイド本体４１が天井壁１０と平行となるとともに、ディスクガイド３８は天井壁１０の近傍に位置する。
【００９３】
また、ロック解除位置では、図８及び図１２に示すように、キャリッジシャーシ４５の第３突出ピン５１は第１ガイド溝２３から抜け出ている。クランプアーム４６の第３突出ピン５１は、第２ガイド溝２７から抜け出ている。ロックピン５２は、ロック凹溝３１から抜け出ている。ロック部材４４の第２突出ピン５９は、ロックガイド溝３０の交差延在部３３に位置している。このため、第２突出ピン５９は、クランプ再生ユニット５がＣＤ２をクランプした後、交差延在部３３内を通る。
【００９４】
ロック部材４４のロックピン５２への係止が解除されているため、クランプ再生ユニット５は前述した図示しないダンパとコイルばねによって、機器本体３に対し移動自在となっている。この状態で、前記記録媒体再生装置１は、ＣＤ２に記録された情報を取り出して、該情報を音声として出力する。
【００９５】
図７および図９に示すクランプ再生ユニット５がＣＤ２をクランプした状態から図８および図１２に示すロック解除位置に変位する際に、ロック部材４４は端部５８を中心として徐々に回転する。そして、ロックピン５２が徐々にロック凹溝３１内から徐々に抜け出るとともに、ロック部材４４のロックピン５２に対する係止が徐々に解除される。さらに、ローラアーム３７とディスクガイド３８とがＣＤ２から徐々に離れる。
【００９６】
また、前記ロック部材４４がロック位置からロック解除位置に向かって変位する最中には、ロックピン５２は、第２拡大部３６と鉤部５４等で囲まれた領域内を移動自在となる。前記ロック部材４４がロック位置からロック解除位置に向かって変位する最中には、ロック部材４４が端部５８を中心として回転するので、第２拡大部３６と鉤部５４等で囲まれた領域が徐々に拡大する。
【００９７】
さらに、前記ロック部材４４がロック位置からロック解除位置に向かって変位する最中には、スライド部材７が記録媒体挿入口１２に向かって移動するため、第２突出ピンは、第１および第２ガイド溝２３，２７から徐々に抜け出る。第１および第２ガイド溝２３，２７から抜け出る最中には、第３突出ピン５１は、拡大部２６，２９内を移動自在となる。このため、第１および第２ガイド溝２３，２７から抜け出る最中には、第３突出ピン５１の移動自在となる領域が徐々に拡大する。
【００９８】
このため、前記ロック部材４４がロック位置からロック解除位置に向かって変位する最中には、機器本体３に対するクランプ再生ユニット５が移動自在となる領域が徐々に拡大する。しかしながら、前述したスライド部材７などは、前記ロック部材４４などの変位によって移動自在となったクランプ再生ユニット５にクランプされたＣＤ２が、図１０および図１１に示すように、搬送ユニット４のローラアーム３７とディスクガイド３８などに接触できないように、ロック部材４４を変位させる。
【００９９】
図１０は、図９に示した状態からスライド部材７が記録媒体挿入口１２に向かって若干移動した状態を示している。図１０に示す場合では、ローラアーム３７とディスクガイド３８との間の間隔Ｄ１よりＣＤ２が変位できる範囲Ｈ１が小さい。なお、図１０（ａ）は、ＣＤ２の端部を上方に変位させた場合を示している。図１０（ｂ）は、ＣＤ２の端部を下方に変位させた場合を示している。
【０１００】
図１１は、図１０に示す状態からスライド部材７が記録媒体挿入口１２に向かって若干移動した状態を示している。図１１に示す場合でも、ローラアーム３７とディスクガイド３８との間の間隔Ｄ２よりＣＤ２が変位できる範囲Ｈ２が小さい。なお、図１１（ａ）は、ＣＤ２の端部を上方に変位させた場合を示している。図１１（ｂ）は、ＣＤ２の端部を下方に変位させた場合を示している。
【０１０１】
こうして、本実施形態の記録媒体再生装置１は、クランプ再生ユニット５がＣＤ２をクランプすると、搬送ユニット４のローラアーム３７とディスクガイド３８とがＣＤ２から徐々に離れるとともに、ロック部材４４のロックが徐々に解除される。ロック部材４４がロック解除位置に変位すると、クランプ再生ユニット５がＣＤ２に記録された情報を読み出すことが可能となる。
【０１０２】
前記記録媒体再生装置１は、ＣＤ２の再生などが終了して、該ＣＤ２を機器本体３内から排出する際には、モータ１３が、先ほどとは逆方向に例えば逆転駆動して、スライド部材７を記録媒体挿入口１２から離す方向に移動させる。
【０１０３】
すると、ロック部材４４が、ロック解除位置からロック位置に向かって徐々に回転して、クランプ再生ユニット５が機器本体３に対し移動できる範囲が徐々に狭くなる。ローラアーム３７とディスクガイド３８とが徐々に互いに近づく。ローラアーム３７のローラ４０とディスクガイド３８との間にＣＤ２を挟むと、キャリッジシャーシ４５とクランプアーム４６とがＣＤ２から離れる。クランプ再生ユニット５のクランプが解除される。ローラ４０の回転によって、ＣＤ２が記録媒体挿入口１２を通して機器本体３外に排出される。このように、ＣＤ２を機器本体３から排出させる際もロック部材４４がロック解除位置からロック位置に向かって徐々に回転するに伴い、クランプ再生ユニット５の移動できる範囲が狭くなるとともに、その狭くなる範囲に応じてローラアーム３７とディスクガイド３８とが徐々に互いに近づいてＣＤ２を挟む。よって、ＣＤ２を機器本体３外に排出する際も、その排出する時間を短縮させることができる。
【０１０４】
本実施形態によれば、スライド部材７がＣＤ２の搬送方向と略同方向に移動することにより、搬送ユニット４のローラアーム３７とディスクガイド３８がＣＤ２から離れ、その離れる間に、ロック部材４４などがロック位置からロック解除位置に向かって徐々に移動する。したがって、機器本体３内にＣＤ２を挿入してから該ＣＤ２に記録された情報を読み出すまでにかかる時間を短縮できる。また、ＣＤ２の搬送方向と同方向に移動するスライド部材７の移動により実現しているため、装置自体の不要な大型化を避ける構成にすることができる。
【０１０５】
スライド部材７などが、ローラアーム３７とディスクガイド３８とをＣＤ２から徐々に離すとともに、ロック部材４４などをロック位置からロック解除位置に向かって徐々に移動させる際に、ＣＤ２をローラアーム３７とディスクガイド３８とに接触することを規制する。
【０１０６】
このため、ロック部材４４などがロック位置からロック解除位置に向かって移動している最中に、振動などによってクランプ再生ユニット５が機器本体３に対し振動しても、該クランプ再生手段５にクランプされたＣＤ２がローラアーム３７とディスクガイド３８とに接触しない。
【０１０７】
クランプ再生ユニット５がＣＤ２をクランプすると、突出ピン４３をガイド孔１８とガイド斜面２２とに沿って移動させる。このため、クランプ再生ユニット５がＣＤ２をクランプすると、ローラアーム３７とディスクガイド３８とをＣＤ２から徐々に確実に離すことができる。
【０１０８】
また、クランプ再生ユニット５がＣＤ２をクランプすると、第２突出ピン５９をロックガイド溝３０に沿って移動させて、鉤部５４のロックピン５２の係止を解除させる方向にロック部材４４を回転させる。このため、クランプ再生ユニット５がＣＤ２をクランプすると、ロック部材４４などをロック位置からロック解除位置に向かって徐々に確実に移動させることができる。したがって、機器本体３内にＣＤ２を挿入してから該ＣＤ２に記録された情報を読み出すまでにかかる時間を確実に短縮できる。
【０１０９】
ロック解除位置では、第３突出ピン５１が第１および第２ガイド溝２３，２７から確実に抜け出る。また、ロックピン５２がロック凹溝３１から抜け出る。さらに、ロック部材４４の鉤部５４のロックピン５２への係止が解除されている。このため、ロック解除位置において、クランプ再生ユニット５を機器本体３に対し確実に移動自在にできる。
【０１１０】
ロック凹溝３１がスライド部材７のスライド方向に沿って延びているとともに、ロック位置ではロック部材４４の鉤部５４が前記スライド方向に対し交差する方向に沿って延びている。このため、ロック位置において、クランプ再生ユニット５を、機器本体３に確実に固定できる。
【０１１１】
搬送ユニット４がＣＤ２を搬送している間では、第２突出ピン５９がロックガイド溝３０のスライド延在部３２内に位置している。このため、ロック部材４４は、搬送ユニット４がＣＤ２を搬送している間には、鉤部５４がロックピン５２に係止した状態を維持する。そして、クランプ再生ユニット５がＣＤ２をクランプすると、前記第２突出ピン５９は、交差点３４に位置する。さらに、ローラアーム３７とディスクガイド３８がＣＤ２から徐々に離れると、第２突出ピン５９が前記交差延在部３３内を通る。このため、クランプ再生ユニット５がＣＤ２をクランプして、ローラアーム３７とディスクガイド３８がＣＤ２から徐々に離れると、鉤部５４のロックピン５２への係止が解除する方向にロック部材４４が確実に回転する。
【０１１２】
したがって、ＣＤ２の搬送中にはクランプ再生ユニット５を機器本体３に対し確実に固定できる。このため、ＣＤ２の搬送中に該ＣＤ２が機器本体３などに接触することを確実に防止できる。
【０１１３】
さらに、クランプ再生ユニット５がＣＤ２をクランプすると、鉤部５４のロックピン５２への係止が解除される方向にロック部材４４が徐々に回転される。このため、クランプ再生ユニット５がＣＤ２をクランプすると、ロック部材４４などがロック位置からロック解除位置に向かって徐々に移動される。したがって、機器本体３内にＣＤ２を挿入してから該ＣＤ２に記録された情報を読み出すまでにかかる時間をより確実に短縮できる。
【０１１４】
前述した実施形態では、記録媒体としてのＣＤ２を上下方向から挟んでクランプするクランプ再生手段としてのクランプ再生ユニット５を例に挙げて説明している。しかしながら、本発明はこれに限るものではない。例えば、記録媒体としてのＣＤ２に形成された中心孔から回転テーブル４８に設けられた爪を突出させてクランプするクランプ再生ユニット５についても、本発明を適用することが可能である。この場合、一対の挟持手段としてのローラアーム３７とディスクガイド３８により搬送されたＣＤ２がその中心孔から突出される爪によりクランプさせると同時に、ローラアーム３７とディスクガイド３８の各々がクランプされたＣＤ２から離れることになる。
【図面の簡単な説明】
【０１１５】
【図１】本発明の一実施形態にかかる記録媒体再生装置を示す斜視図である。
【図２】図１に示された記録媒体再生装置の機器本体を示す斜視図である。
【図３】図１に示された記録媒体再生装置の機器本体を他の方向からみた斜視図である。
【図４】図１に示された記録媒体再生装置のスライド部材などを示す正面図である。
【図５】図１に示された記録媒体再生装置のクランプ再生ユニットの側面図である。
【図６】図１に示された記録媒体再生装置のＣＤが挿入されていない状態を側方からみた説明図である。
【図７】図１に示された記録媒体再生装置のクランプ再生ユニットがＣＤをクランプした状態を側方からみた説明図である。
【図８】図１に示された記録媒体再生装置のロック部材などがロック解除位置に変位した状態を側方からみた説明図である。
【図９】図１に示された記録媒体再生装置のクランプ再生ユニットがＣＤをクランプした状態を側方からみた他の説明図である。
【図１０】図１に示された記録媒体再生装置のロック部材がロック位置からロック解除位置に向かって変位する過程を側方からみた説明図である。
【図１１】図１に示された記録媒体再生装置のロック部材がロック位置からロック解除位置に向かって変位する他の過程を側方からみた説明図である。
【図１２】図１に示された記録媒体再生装置のロック部材などがロック解除位置に変位した状態を側方からみた他の説明図である。
【図１３】図１に示された記録媒体再生装置のＣＤが挿入される状態を模式的に示す説明図である。
【図１４】図１に示された記録媒体再生装置の挿入されたＣＤがキャリッジシャーシとクランプアームとの間に位置した状態を模式的に示す説明図である。
【図１５】図１に示された記録媒体再生装置の挿入されたＣＤがクランプ再生ユニットにクランプされた状態を模式的に示す説明図である。
【図１６】図１に示された記録媒体再生装置のローラアームとディスクガイドとがＣＤから離れる過程を模式的に示す説明図である。
【図１７】図１に示された記録媒体再生装置がロック解除位置に変位した状態を模式的に示す説明図である。
【符号の説明】
【０１１６】
１  記録媒体再生装置
２  ＣＤ（記録媒体）
３  機器本体
４  搬送ユニット
５  クランプ再生ユニット（再生手段）
７  スライド部材
１８  ガイド孔
２２  ガイド斜面
２６  拡大部
２７  第２ガイド溝
２９  拡大部（第１拡大部）
３０  ロックガイド溝
３１  ロック凹溝（ロック手段）
３２  スライド延在部
３３  交差延在部
３４  交差点
３６  第２拡大部
３７  ローラアーム
３８  ディスクガイド
４３  突出ピン
４４  ロック部材（ロック手段）
４５  キャリッジシャーシ
４６  クランプアーム
５１  第３突出ピン
５２  ロックピン（ロック手段）
５４  鉤部
５９  第２突出ピン
【図１】
2004206871.tif 000003
【図２】
2004206871.tif 000004
【図３】
2004206871.tif 000005
【図４】
2004206871.tif 000006
【図５】
2004206871.tif 000007
【図６】
2004206871.tif 000008
【図７】
2004206871.tif 000009
【図８】
2004206871.tif 000010
【図９】
2004206871.tif 000011
【図１０】
2004206871.tif 000012
【図１１】
2004206871.tif 000013
【図１２】
2004206871.tif 000014
【図１３】
2004206871.tif 000015
【図１４】
2004206871.tif 000016
【図１５】
2004206871.tif 000017
【図１６】
2004206871.tif 000018
【図１７】
2004206871.tif 000019